(57)【要約】【課題】通信端末等からデータベースセンタに配信データの配信要求をし、車載情報端末で配信データの配信を受けることができる車載端末通信システムおよびその制御方法を提供すること。【解決手段】ネットワーク３００を介して通信可能に接続された携帯端末４００、車載情報端末１００、およびデータベースセンタ２００を備え、操作部４１０を介して入力されたカラオケの音楽の特定情報とこの音楽のデータを配信要求する宛先の車載情報端末のログインＩＤとを通信部４３０経由で携帯端末４００からデータベースセンタ２００に送信し、データベースセンタ２００が自己に登録されたログインＩＤを受信したとき、付随する配信要求のあった音楽データを車載情報端末１００に送信し、車載電子鍵装置１００の通信部１３０が受信した音楽データを記憶部１４０に記憶し、カラオケ処理部１６０で再生する構成を有している。【選択図】　図４
2004138885.tif 000002
【特許請求の範囲】
【請求項１】
データベースセンタと、通信手段を介して前記データベースセンタに接続可能な携帯端末と、前記データベースセンタに通信手段を介して接続可能な車載情報端末とを備え、前記携帯端末は前記データベースセンタに配信データの配信要求を送信するとともに配信の宛先となる車載情報端末のログインＩＤを送信し、前記データベースセンタは受信したログインＩＤに基づき特定の車載情報端末を割り出し、前記特定の車載情報端末に前記携帯端末から配信要求のあった配信データを送信することを特徴とする車載端末通信システム。
【請求項２】
前記車載端末通信システムにおいて、カラオケの曲を再生するための音楽データの配信要求を入力させる操作手段と、前記音楽データを特定するための曲識別情報および前記音声データの宛先となる車載情報端末のログインＩＤを前記ネットワーク経由で前記データベースセンタに送信する通信手段と、前記曲識別情報は、複数の前記カラオケの曲を指定することにより複数のカラオケの曲を予約することが可能であることを特徴とする請求項１に記載の携帯端末。
【請求項３】
前記車載端末通信システムにおいて、前記データベースセンタから配信される音楽データを前記ネットワーク経由で受信する通信手段と、前記車載情報端末の通信手段によって受信された音楽データを記憶する記憶手段と、前記記憶手段に記憶された音楽データに基づいて前記カラオケの曲を再生するカラオケ処理手段とを有し、前記曲識別情報は、複数の前記カラオケの曲を指定することにより複数のカラオケの曲を予約することが可能であることを特徴とする請求項１に記載の車載情報端末。
【請求項４】
前記車載端末通信システムにおいて、前記携帯端末によって送信された曲識別情報およびログインＩＤを前記ネットワーク経由で受信し、前記曲識別情報によって特定される音楽データを前記ログインＩＤで指定される宛先の車載情報端末に前記ネットワーク経由で配信する通信手段と、カラオケの所定の曲を再生するため音楽データおよびログインＩＤを予め複数記憶しておくデータベース手段と、前記データベースセンタの通信手段で受信したログインＩＤが前記データベース手段に予め登録されたログインＩＤと一致するか否かを判断し、前記ログインＩＤが前記予め登録されたログインＩＤと一致する場合に前記データベース手段に記憶された音楽データの中から前記曲識別情報に応じた音楽データを抽出し、前記データベースセンタの通信手段経由で前記抽出した音楽データを前記ログインＩＤで指定される宛先の車載情報端末に配信し、一致しない場合は前記曲識別情報に応じた音楽データの抽出を行わない制御手段とを有し、前記曲識別情報は、複数の前記カラオケの曲を指定することにより複数のカラオケの曲を予約することが可能であることを特徴とする請求項１に記載のデータベースセンタ。
【請求項５】
請求項１に記載の、ネットワークを介して通信可能に接続された携帯端末、車載情報端末、およびデータベースセンタを含む車載端末通信システムを構成する前記データベースセンタにカラオケの所定の曲を再生するため音楽データおよびログインＩＤを予め複数記憶しておくデータベースステップと、配信要求する１以上の前記音楽データを前記携帯端末に入力させる操作ステップと、前記音楽データを特定するための曲識別情報および前記音声データの宛先となる車載情報端末のログインＩＤを前記携帯端末から前記データベースセンタに送信する送信ステップと、前記携帯端末から送信された曲識別情報およびログインＩＤを前記データベースセンタで受信して記憶する記憶ステップと、前記データベースセンタで受信したログインＩＤが前記データベースセンタに予め登録されたログインＩＤと一致するか否かを判断する判断ステップと、前記判断ステップで前記ログインＩＤが前記予め登録されたログインＩＤと一致すると判断された場合に前記データベースステップで記憶された音楽データの中から前記曲識別情報に応じた音楽データを抽出し、一致しないと判断された場合は前記曲識別情報に応じた音楽データの抽出を行わない制御ステップと、前記制御ステップで前記音楽データが抽出された場合に抽出された音楽データを前記データベースセンタから前記ログインＩＤで指定される宛先の車載情報端末に配信する配信ステップと、前記ネットワーク経由で前記車載情報端末に配信された音楽データを前記車載情報端末に記憶する車載端末記憶ステップと、を備えたことを特徴とする車載端末通信システムの制御方法。
【発明の詳細な説明】
【０００１】
【発明の属する技術分野】
本発明は、車載端末通信システムおよびその制御方法に関し、特に、車中でカラオケの音楽データを受信して楽しむことが可能な車載端末通信システムおよびその制御方法に関する。
【０００２】
【従来の技術】
従来、車中でカラオケを楽しもうとする場合は、乗車時までにカラオケ装置およびカラオケの曲の音楽データが記録された媒体を持ち込み、持ち込んだカラオケ装置を車のバッテリー等に接続し、持ち込んだカラオケの媒体に記録された音楽の範囲内で楽しむということがなされていた。また、近年、ＰＨＳ（ＰｅｒｓｏｎａｌＨａｎｄｙ−ｐｈｏｎｅ　Ｓｙｓｔｅｍ）を用いてカラオケの曲の音楽データをデータベースセンタ等に要求し、配信を受けるカラオケシステムが提案されている（例えば、特許文献１参照。）。
【０００３】
ＰＨＳを用いて音楽データの配信を受けるカラオケシステムでは、ＰＨＳで受信した音楽データをカラオケ装置に１曲ずつ出力し、カラオケ装置は、ＰＨＳから入力された音楽データをデコード処理等した後に、処理後の音楽データに基づいてカラオケの音楽を演奏していた。
【特許文献１】
特開平９−２６７９８号公報
【０００４】
【発明が解決しようとする課題】
しかし、このような従来のカラオケシステムでは、車中でカラオケを楽しもうとすると、乗車前にカラオケ装置や音楽データの記録された媒体を車の中に持ち込まなければならないという問題があった。
また、再生する曲を予めＰＨＳなどで予約しておき、それを車中で再生しようとすると、ＰＨＳで受信したものを車載情報端末に１曲ずつダウンロードしては再生するという操作を繰り返して行わなければならないという問題があった。
【０００５】
本発明はこのような問題を解決するためになされたもので、車載情報端末に具備された通信装置とは異なる携帯端末からデータベースセンタに配信データの配信要求を行うとともに、配信先の車載情報端末のログインＩＤを送信することにより、データベースセンタからログインＩＤに対応する特定の車載情報端末に要求した配信データを送信することができる車載端末通信システムおよびその制御方法を提供するものである。
【０００６】
【課題を解決するための手段】
本発明の車載端末通信システムは、データベースセンタと、通信手段を介して前記データベースセンタに接続可能な携帯端末と、前記データベースセンタに通信手段を介して接続可能な車載情報端末とを備え、前記携帯端末は前記データベースセンタに配信データの配信要求を送信するとともに配信の宛先となる車載情報端末のログインＩＤを送信し、前記データベースセンタは受信したログインＩＤに基づき特定の車載情報端末を割り出し、前記特定の車載情報端末に前記携帯端末から配信要求のあった配信データを送信する構成を有している。
この構成により、携帯端末を介してネットワーク上のサーバから複数の音楽データの配信を受けることができるため、車載情報端末に具備された通信装置とは異なる携帯端末からデータベースセンタに配信データの配信要求を行うとともに、配信先の車載情報端末のログインＩＤを送信することにより、データベースセンタからログインＩＤに対応する特定の車載情報端末に要求した配信データを送信することが可能な車載端末通信システムを実現することができる。
【０００７】
また、本発明の携帯端末は、前記車載端末通信システムにおいて、カラオケの曲を再生するための音楽データの配信要求を入力させる操作手段と、前記音楽データを特定するための曲識別情報および前記音声データの宛先となる車載情報端末のログインＩＤを前記ネットワーク経由で前記データベースセンタに送信する通信手段と、前記曲識別情報は、複数の前記カラオケの曲を指定することにより複数のカラオケの曲を予約することが可能である構成を有している。
この構成により、携帯端末がネットワーク上のサーバにカラオケの曲を予約し、直接、車載情報端末がカラオケの音楽データを受信して再生するため、携帯電話機、ＰＨＳなどの通信端末を用いて受信したカラオケの音楽データを入力する手間を省くことが可能な携帯端末を実現することができる。
【０００８】
また、本発明の車載情報端末は、前記車載端末通信システムにおいて、前記データベースセンタから配信される音楽データを前記ネットワーク経由で受信する通信手段と、前記車載情報端末の通信手段によって受信された音楽データを記憶する記憶手段と、前記記憶手段に記憶された音楽データに基づいて前記カラオケの曲を再生するカラオケ処理手段とを有し、前記曲識別情報は、複数の前記カラオケの曲を指定することにより複数のカラオケの曲を予約することが可能である構成を有している。
この構成により、車載情報端末がネットワーク上のサーバから複数の音楽データの配信を受けることができるため、カラオケ装置を持ち込むことなく、かつ携帯電話機、ＰＨＳなどの通信端末を用いて受信したカラオケの音楽データを入力する手間を省き、操作性の良い車載情報端末を実現することができる。
【０００９】
また、本発明のデータベースセンタは、前記車載端末通信システムにおいて、前記携帯端末によって送信された曲識別情報およびログインＩＤを前記ネットワーク経由で受信し、前記曲識別情報によって特定される音楽データを前記ログインＩＤで指定される宛先の車載情報端末に前記ネットワーク経由で配信する通信手段と、カラオケの所定の曲を再生するため音楽データおよびログインＩＤを予め複数記憶しておくデータベース手段と、前記データベースセンタの通信手段で受信したログインＩＤが前記データベース手段に予め登録されたログインＩＤと一致するか否かを判断し、前記ログインＩＤが前記予め登録されたログインＩＤと一致する場合に前記データベース手段に記憶された音楽データの中から前記曲識別情報に応じた音楽データを抽出し、前記データベースセンタの通信手段経由で前記抽出した音楽データを前記ログインＩＤで指定される宛先の車載情報端末に配信し、一致しない場合は前記曲識別情報に応じた音楽データの抽出を行わない制御手段とを有し、前記曲識別情報は、複数の前記カラオケの曲を指定することにより複数のカラオケの曲を予約することが可能である構成を有している。
この構成により、携帯端末からデータベースセンタに配信要求を送信し、データベースセンタから直接車載情報端末に音楽データを配信するため、カラオケ装置を持ち込むことなく、かつ携帯電話機、ＰＨＳなどの通信端末を用いて受信したカラオケの音楽データを入力する手間を省くことが可能なデータベースセンタを実現することができる。
【００１０】
また、本発明の車載端末通信システムの制御方法は、請求項１に記載の、ネットワークを介して通信可能に接続された携帯端末、車載情報端末、およびデータベースセンタを含む車載端末通信システムを構成する前記データベースセンタにカラオケの所定の曲を再生するため音楽データおよびログインＩＤを予め複数記憶しておくデータベースステップと、配信要求する１以上の前記音楽データを前記携帯端末に入力させる操作ステップと、前記音楽データを特定するための曲識別情報および前記音声データの宛先となる車載情報端末のログインＩＤを前記携帯端末から前記データベースセンタに送信する送信ステップと、前記携帯端末から送信された曲識別情報およびログインＩＤを前記データベースセンタで受信して記憶する記憶ステップと、前記データベースセンタで受信したログインＩＤが前記データベースセンタに予め登録されたログインＩＤと一致するか否かを判断する判断ステップと、前記判断ステップで前記ログインＩＤが前記予め登録されたログインＩＤと一致すると判断された場合に前記データベースステップで記憶された音楽データの中から前記曲識別情報に応じた音楽データを抽出し、一致しないと判断された場合は前記曲識別情報に応じた音楽データの抽出を行わない制御ステップと、前記制御ステップで前記音楽データが抽出された場合に抽出された音楽データを前記データベースセンタから前記ログインＩＤで指定される宛先の車載情報端末に配信する配信ステップと、前記ネットワーク経由で前記車載情報端末に配信された音楽データを前記車載情報端末に記憶する車載端末記憶ステップと、を備えた構成を有している。
この構成により、携帯端末を介してネットワーク上のサーバから複数の音楽データの配信を受けることができるため、カラオケ装置を持ち込むことなく、かつ携帯電話機、ＰＨＳなどの通信端末を用いて受信したカラオケの音楽データを入力する手間を省き、操作性の良い車載端末通信システムの制御方法を実現することができる。
【００１１】
【発明の実施の形態】
以下、本発明の実施の形態について、図面を用いて説明する。
（第１の実施の形態）
図１は、本発明の第１の実施の形態に係る車載端末通信システムのブロック構成を示す図である。図１において、車載端末通信システム１０００は、車載情報端末１００、データベースセンタ２００、および車載情報端末１００とデータベースセンタ２００とを通信可能に接続するネットワーク３００を含むように構成される。ここで、車載情報端末１００とネットワーク３００との間は無線で接続され、データベースセンタ２００とネットワーク３００との間の接続は有線であっても無線であっても良い。
【００１２】
車載情報端末１００は、さらに操作部１１０、操作部１１０からの入力に応じて各部の制御を行う制御部１２０、ネットワーク３００上のデータベースセンタ２００に配信要求を送信し、データベースセンタ２００から配信されたカラオケの音楽データを受信する通信部１３０、受信したカラオケの音楽データ、データ処理後の音楽データまたはその他のデータを記憶する記憶部１４０、記憶部１４０に記憶された受信データにデコード処理等の所定の信号処理を施す信号処理部１５０、信号処理部１５０による処理後の音楽データを再生し、カラオケ装置として動作をするカラオケ処理部１６０を含むように構成される。
【００１３】
操作部１１０は、配信を受けたいカラオケの曲を識別する情報（以下、曲識別情報という。）を入力し、これにより配信要求するカラオケの音楽データを特定するようになっている。具体的には、タッチパネル、ペン入力装置、表示パネル付きキーボード等によって構成され、入力された情報を表示したり、入力に応じて所定の音声を出力したりするのでも良い。また、ログインＩＤを管理することによってマルチユーザ機能を持たせるのであっても良い。
【００１４】
制御部１２０は、カラオケの音楽データの配信要求が操作部１１０を介してなされた場合、その要求および予め登録されたログインＩＤを通信部１３０経由でネットワーク３００上のデータベースセンタ２００に送信し、カラオケの音楽データを受信した場合、受信した旨の表示を操作部１１０にし、受信したカラオケの音楽に基づいて曲を再生するために各部の制御を行う。なお、カラオケの音楽データは、音声データのみならず、映像データを含むのでも良い。
【００１５】
通信部１３０は、例えばＨＴＴＰ（Ｈｙｐｅｒｔｅｘｔ　Ｔｒａｎｓｆｅｒ　Ｐｒｏｔｏｃｏｌ）に基づいた通信を行うのでも良い。この場合、ユーザは、操作部１１０を操作してＵＲＬ（Ｕｎｉｆｏｒｍ　Ｒｅｓｏｕｒｃｅ　Ｌｏｃａｔｏｒ）を入力してホームページにアクセスし、ホームページ上に表示された曲のリストの中から配信を受けようとする曲を選択することによって曲識別情報を指定できるものとするのでも良い。また、データベースセンタ２００から送信される音楽データの音声データは、ＭＩＤＩ（Ｍｕｓｉｃａｌ　Ｉｎｓｔｒｕｍｅｎｔ　Ｄｉｇｉｔａｌ　Ｉｎｔｅｒｆａｃｅ）規格に従って生成されたものであり、通信部１３０がそれを受信し、カラオケ処理部１６０で再生するのでも良い。
【００１６】
信号処理部１５０は、通信部１３０経由でカラオケの音楽データを受信した場合、必要に応じてカラオケの音楽データの解凍、デコード処理等の信号処理を行い、カラオケ処理部１６０によって再生が実行できる信号に変換する。なお、ＭＩＤＩ規格等に従って生成された音声データを内容とするものについては、データサイズが小さいためデータの解凍をせず、またＭＩＤＩ規格に従っているためデコードをしなくてもよいものとする。また、映像データが送信される場合は、１フレームの画像データからなるのでも良いものとする。
【００１７】
カラオケ処理部１６０は、カラオケ音楽に合わせて歌い手が歌った歌声をマイクロホンによって電気信号に変換したものを入力させ、信号処理部１５０によって処理された後の音楽データの音声とミキシングして出力し、この音楽データに映像信号が含まれる場合は、映像をも再生するようになっている。なお、受信した音楽データの音声データがＭＩＤＩ規格に従って生成されたデータである場合は、音程等として送信されたデータに応じてカラオケの音楽を再生できるようになっているものとするのでも良い。
【００１８】
データベースセンタ２００は、さらに、ネットワーク上の車載情報端末１００と通信する通信部２１０と、車載情報端末１００のログインＩＤ、カラオケの音楽データや映像等を記憶しておくデータベース部２２０、および通信結果に応じてカラオケの音楽データの配信制御を行う制御部２３０を含むように構成される。
【００１９】
制御部２３０は、通信部２１０を介して受信された情報中のログインＩＤを抽出し、抽出したログインＩＤがデータベース部２２０に登録されているログインＩＤと一致するか否かを判断し、一致する場合は処理を継続し、一致しない場合は処理を停止する。一致すると判断した場合は、通信部２１０を介して受信した情報中の曲識別情報を抽出し、抽出した曲識別情報で特定される曲の音楽データをデータベース部２２０から読み出し、通信部２１０経由でネットワーク上の車載情報端末１００に配信する。
【００２０】
以下、車載情報端末１００の動作について図２に示すフローチャートを用いて説明する。ここで、上記のデータベースセンタ２００には、ユーザを識別するログインＩＤが予め登録され、データベースセンタ２００は、カラオケの音楽データの送信先をログインＩＤに基づいて識別するものとする。また、配信を受けようとするカラオケの音楽データは、既に操作部１１０経由で入力されているものとする。
【００２１】
まず、操作部１１０を介して入力された曲識別情報と車載情報端末１００のログインＩＤとを含む情報が通信部１３０経由でネットワーク３００上のデータベースセンタ２００に送信される（Ｓ２１０）。ここで、曲識別情報は、複数の曲を指定することができる識別情報であるものとする。また、曲識別情報は、いわゆるベスト１０その他の分類によって指定される一連の曲を指定して、音楽データを予約できるとするものであっても良い。
【００２２】
次に、データベースセンタ２００から音楽データが配信されてくるのを待って通信部１３０経由で受信し（Ｓ２２０）、受信しながらデータを記憶部１４０に記憶し（Ｓ２３０）、受信および記憶が完了したら通信部１３０経由で受信が完了したことをデータベースセンタ２００に通知する（Ｓ２４０）。なお、受信は１曲ずつ行うのでも良く、全曲のデータを受信した後に受信完了の通知を行うのでも良い（Ｓ２５０）。
【００２３】
次に、受信データが圧縮されたデータであるか否かを判断し（Ｓ２６０）、圧縮されたデータであると判断された場合は、圧縮データを解凍または伸長する処理を行う（Ｓ２７０）。カラオケの音楽データの受信処理または伸長処理が終わった後の再生動作は、周知のカラオケ装置における動作と同様であるため、その説明を省略する。
【００２４】
次に、データベースセンタ２００の動作について図３に示すフローチャートを用いて説明する。まず、カラオケの音楽データの配信要求があるのを待ち（Ｓ３１０）、配信要求があったら配信要求の中に含まれるログインＩＤを抽出し（Ｓ３２０）、抽出したログインＩＤがデータベースセンタ２００のデータベース部２２０に予め記憶されているログインＩＤと一致するか否かを判断する（Ｓ３３０）。
【００２５】
ここで、ログインＩＤが一致すると判断された場合、処理は継続するが、一致すると判断されない場合、処理は終了する。その際、処理の終了に先立って、車載情報端末１００にその旨の通知を行うのであっても良い。ログインＩＤが一致すると判断された場合、配信要求中の曲識別情報を抽出し（Ｓ３４０）、曲識別情報に応じた音楽データをデータベース部２２０から読み出し（Ｓ３５０）、読み出した音楽データをネットワーク２００上の車載情報端末１００に配信する（Ｓ３６０）。ここで、曲識別情報に複数の音楽データを識別する情報が含まれる場合、予め決められた順番で１曲分のデータずつ配信するのでも良い。
【００２６】
以上説明したように、本発明の第１の実施の形態に係る車載端末通信システムおよびその制御方法は、車載のカラオケ装置を介してネットワーク上のサーバから複数の音楽データの配信を受けることができるため、カラオケ装置を持ち込むことなく、携帯電話機、ＰＨＳなどの通信端末を用いて受信したカラオケの音楽データを入力する手間を省き、操作性を向上できる。
また、ＨＴＴＰに基づいて通信を行い、ブラウザを表示して曲識別情報を指定すると共に、ＭＩＤＩ規格の音声データの送受信を行うため、さらに操作性を向上することができる。
【００２７】
（第２の実施の形態）
図４は、本発明の第２の実施の形態に係る車載端末通信システムのブロック構成を示す図である。図４において、車載端末通信システム４０００は、本発明の第１の実施の形態に係る車載端末通信システム１０００に携帯端末４００を付加したように構成される。ここで、携帯端末４００とネットワーク３００との間は無線で接続されるものとする。
【００２８】
携帯端末４００は、操作部４１０、操作部４１０からの入力に応じて各部の制御を行う制御部４２０、ネットワーク３００上のデータベースセンタ２００に配信要求を送信する通信部４３０、およびカラオケの曲等についての所定のデータを記憶する記憶部４４０を含むように構成され、公知の携帯電話機、ＰＨＳ（Ｐｅｒｓｏｎａｌ　Ｈａｎｄｙ−ｐｈｏｎｅ　Ｓｙｓｔｅｍ）などの通信端末であっても良い。
【００２９】
操作部４１０は、配信を受けたい曲識別情報および車載情報端末１００のログインＩＤを入力し、これにより配信要求するカラオケの音楽データを特定するようになっている。具体的には、タッチパネル、ペン入力装置、表示パネル付きキーボード等によって構成され、入力された情報を表示したり、入力に応じて所定の音声を出力したりするのでも良い。
【００３０】
制御部４２０は、カラオケの音楽データの配信要求が操作部４１０を介してなされた場合、その配信要求に応じた情報を通信部１３０経由でネットワーク３００上のデータベースセンタ２００に送信するようになっている。具体的には、識別情報と配信先のログインＩＤを含む情報をデータベースセンタ２００に送信するものである。
【００３１】
通信部４３０は、制御部４２０の制御の下、無線でネットワーク３００上のデータベースセンタ２００に曲識別情報等を送信するようになっている。
記憶部４４０は、曲識別情報を選択する際に必要となる情報を含む情報を記憶しておくようになっている。なお、ＨＴＴＰに基づいた通信を行う場合は、ブラウザを表示して曲識別情報やログインＩＤの指定を行い、記憶部４４０を省略するのでも良い。
【００３２】
以下、図５に示すシーケンスチャートを用いて本発明の第２の実施の形態に係る車載端末通信システムにおける処理の流れを説明する。まず、操作部４１０から曲の予約がデータベースセンタ２００になされる（Ｓ５１０）。曲の予約がデータベースセンタ２００になされると、予約された曲がデータベースセンタ２００の予約リストに追加される（Ｓ５２０）。
【００３３】
次に、カラオケの曲が予約されたら、音楽データの配信要求を車載情報端末１００からデータベースセンタ２００に送信し（Ｓ５３０）、要求に応じた音楽データがデータベースセンタ２００から車載情報端末１００に配信される（Ｓ５４０）。配信された音楽データは、車載情報端末１００に記憶され（Ｓ５５０）、車載情報端末１００から音楽データを取得した旨の通知（以下、単に音楽データ取得通知という。）がデータベースセンタ２００になされる（Ｓ５６０）。
【００３４】
車載情報端末１００から音楽データ取得通知があると、データベースセンタ２００では、上記の予約リストから配信済みの曲を削除し（Ｓ５７０）、データベースセンタ２００から車載情報端末１００に通知する（Ｓ５８０）。車載情報端末１００では、通知を受けて曲の再生を行い（Ｓ５９０）、再生が完了した際、予約された曲がまだ残っている場合は、Ｓ５３０に戻り次の曲について上記の処理を繰り返す。
【００３５】
以上説明したように、本発明の第２の実施の形態に係る車載端末通信システムおよびその制御方法は、携帯端末を介してネットワーク上のサーバに予約したカラオケの音楽データを複数、車載情報端末が直接配信を受けることができるため、カラオケ装置を持ち込むことなく、携帯電話機、ＰＨＳなどの通信端末を用いて受信したカラオケの音楽データを入力する手間を省き、操作性を向上できる。なお、本発明の実施の形態では、カラオケの音楽データを受信するものとしたが、受信するデータはこれに限らず、他の音楽データや映像データなどのコンテンツデータでもよく、またＰＨＳ以外の通信端末を用いてもよい。
【００３６】
【発明の効果】
以上説明したように、本発明は、車載情報端末に具備された通信装置とは異なる携帯端末からデータベースセンタに配信データの配信要求を行うとともに、配信先の車載情報端末のログインＩＤを送信することにより、データベースセンタからログインＩＤに対応する特定の車載情報端末に要求した配信データを送信することが可能な車載端末通信システムおよびその制御方法を実現することができる。
【図面の簡単な説明】
【図１】本発明の第１の実施の形態に係る車載端末通信システムのブロック構成を示す図
【図２】本発明の第１の実施の形態に係る車載端末通信システムを構成する車載情報端末における処理の流れを示すフローチャート
【図３】本発明の第１の実施の形態に係る車載端末通信システムを構成するデータベースセンタにおける処理の流れを示すフローチャート
【図４】本発明の第２の実施の形態に係る車載端末通信システムのブロック構成を示す図
【図５】本発明の第２の実施の形態に係る車載端末通信システムにおける処理の流れを示すシーケンスチャート
【符号の説明】
１００　車載情報端末
１１０　操作部
１２０　制御部
１３０　通信部
１４０　記憶部
１５０　信号処理部
１６０　カラオケ処理部
２００　データベースセンタ
２１０　通信部
２２０　データベース部
２３０　制御部
３００　ネットワーク
４００　携帯端末
４１０　操作部
４２０　制御部
４３０　通信部
４４０　記憶部
１０００、４０００　車載端末通信システム
【図１】
2004138885.tif 000003
【図２】
2004138885.tif 000004
【図３】
2004138885.tif 000005
【図４】
2004138885.tif 000006
【図５】
2004138885.tif 000007